(57)【特許請求の範囲】
【請求項１】
情報配信装置から無線区間を介してマルチキャストコンテンツの配信サービスを受ける機能と前記情報配信装置から配信されるマルチキャストコンテンツに関連するマルチキャストコンテンツ関連情報を保持するコンテンツ情報サーバと通信する機能を有する移動通信端末であって、
ユーザより前記マルチキャストコンテンツのコンテンツリストの提示要求を受け付けた時に、その時点で通信可能な全ての周辺無線基地局または無線基地局配下のセクタをサーチするサーチ手段と、
前記サーチ手段により検出した通信可能な無線基地局または無線基地局配下のセクタを特定する情報を、前記コンテンツ情報サーバに通知する通信可能無線基地局情報通知手段と、
前記通信可能無線基地局情報通知手段により通知した通信可能な無線基地局または無線基地局配下のセクタを特定する情報に基づいた前記コンテンツリストを前記コンテンツ情報サーバから取得するコンテンツリスト取得手段と、
前記コンテンツリスト取得手段が取得した前記コンテンツリストを、ユーザに提示する提示手段と、
を有することを特徴とする移動通信端末。
【請求項２】
情報配信装置から無線区間を介してマルチキャストコンテンツの配信サービスを受ける機能と前記情報配信装置から配信されるマルチキャストコンテンツに関連するマルチキャストコンテンツ関連情報を保持するコンテンツ情報サーバと通信可能な移動通信端末において、
ユーザより前記マルチキャストコンテンツのコンテンツリストの提示要求を受け付けた時に、その時点で通信可能な全ての周辺無線基地局または無線基地局配下のセクタをサーチするサーチ手段と、
前記サーチ手段により検出した通信可能な無線基地局または無線基地局配下のセクタにおいて受信可能なマルチキャストコンテンツを特定する情報を、前記コンテンツ情報サーバに通知する受信可能コンテンツ識別子通知手段と、
前記受信可能コンテンツ識別子通知手段により通知した通信可能な無線基地局または無線基地局配下のセクタにおいて受信可能なマルチキャストコンテンツを特定する情報に基づいた前記コンテンツリストを前記コンテンツ情報サーバから取得するコンテンツリスト取得手段と、
前記コンテンツリスト取得手段が取得した前記コンテンツリストを、ユーザに提示する提示手段と、
を有することを特徴とする移動通信端末。
【請求項３】
前記コンテンツ情報サーバが保持するマルチキャストコンテンツ関連情報は、少なくとも当該マルチキャストコンテンツの配信に使用するマルチキャストIPアドレスを含む、ことを特徴とする請求項１または２に記載の移動通信端末。
【請求項４】
前記コンテンツ情報サーバが保持するマルチキャストコンテンツ関連情報は、
コンテンツタイトル、あらすじ、配信開始時刻、配信終了時刻、配信セクタを特定する情報のいずれかを含む、ことを特徴とする請求項１又は２に記載の移動通信端末。
【請求項５】
前記配信セクタを特定する情報は、周波数帯を特定する情報、チャネルを特定する情報、周波数拡散変調用の疑似乱数パターンを特定する情報のいずれかを含む、ことを特徴とする請求項４に記載の移動通信端末。
【請求項６】
マルチキャストコンテンツを配信可能な無線基地局または無線基地局配下のセクタと、当該マルチキャストコンテンツに関連するマルチキャストコンテンツ関連情報との対応関係を記憶するマルチキャストコンテンツ情報記憶手段と、
ユーザより前記マルチキャストコンテンツのコンテンツリストの提示要求を受け付けた時に、その時点で通信可能な全ての周辺無線基地局または無線基地局配下のセクタをサーチするサーチ手段を備える移動通信端末であって、マルチキャストサービス利用可能な移動通信端末が送信した通信可能な無線基地局または無線基地局配下のセクタを特定する情報を受信する無線基地局特定情報受信手段と、
前記無線基地局特定情報受信手段により受信した無線基地局特定情報と、前記マルチキャストコンテンツ情報記憶手段により記憶しているマルチキャストコンテンツ関連情報に基づいて、前記移動通信端末が受信可能な無線基地局が配信可能なマルチキャストコンテンツを示す前記コンテンツリストを生成するコンテンツリスト生成手段と、
前記コンテンツリスト生成手段により生成した前記コンテンツリストを前記移動通信端末に送信するコンテンツリスト送信手段と、
を有することを特徴とするコンテンツ情報サーバ。
【請求項７】
マルチキャストコンテンツを特定するための情報と、当該マルチキャストコンテンツに関連するマルチキャストコンテンツ関連情報との対応関係を記憶するマルチキャストコンテンツ情報記憶手段と、
ユーザより前記マルチキャストコンテンツのコンテンツリストの提示要求を受け付けた時に、その時点で通信可能な全ての周辺無線基地局または無線基地局配下のセクタをサーチするサーチ手段を備える移動通信端末であって、マルチキャストサービス利用可能な移動通信端末が送信した受信可能なマルチキャストコンテンツを特定する情報を受信する受信可能コンテンツ識別子受信手段と、
前記受信可能コンテンツ識別子受信手段により受信した移動通信端末が受信可能なマルチキャストコンテンツを特定する情報と、前記マルチキャストコンテンツ情報記憶手段により記憶しているマルチキャストコンテンツ関連情報に基づいて、前記移動通信端末が受信可能なマルチキャストコンテンツを示す前記コンテンツリストを生成するコンテンツリスト生成手段と、
前記コンテンツリスト生成手段により生成した前記コンテンツリストを前記移動通信端末に送信するコンテンツリスト送信手段と、
を有することを特徴とするコンテンツ情報サーバ。
【請求項８】
前記マルチキャストコンテンツ関連情報は、少なくとも当該マルチキャストコンテンツの配信に使用するマルチキャストIPアドレスを含むことを特徴とする請求項６又は７に記載のコンテンツ情報サーバ。
【請求項９】
前記マルチキャストコンテンツ関連情報は、コンテンツタイトル、あらすじ、配信開始時刻、配信終了時刻、配信セクタを特定する情報のいずれかを含むことを特徴とする請求項６又は７に記載のコンテンツ情報サーバ。
【請求項１０】
前記配信セクタを特定する情報は、周波数帯を特定する情報、チャネルを特定する情報、周波数拡散変調用の疑似乱数パターンを特定する情報のいずれかを含む、ことを特徴とする請求項９に記載のコンテンツ情報サーバ。
【請求項１１】
マルチキャストコンテンツを配信可能な無線基地局または無線基地局配下のセクタと、当該マルチキャストコンテンツに関連するマルチキャストコンテンツ関連情報との対応関係を、前記コンテンツ情報サーバが記憶するマルチキャストコンテンツ情報記憶ステップと、
移動通信端末が、ユーザより前記マルチキャストコンテンツのコンテンツリストの提示要求を受け付けた時に、その時点で通信可能な全ての周辺無線基地局または無線基地局配下のセクタをサーチするサーチステップと、
移動通信端末が、前記サーチステップにより取得した通信可能な無線基地局または無線基地局配下のセクタを特定する情報を、前記コンテンツ情報サーバに送信する通信可能無線基地局情報送信ステップと、
前記通信可能無線基地局情報送信ステップにより前記移動通信端末が前記コンテンツ情報サーバに送信した無線基地局特定情報を、前記コンテンツ情報サーバが受信する無線基地局特定情報受信ステップと、
前記無線基地局特定情報受信ステップにより受信した無線基地局特定情報と、前記マルチキャストコンテンツ情報記憶ステップにより記憶したマルチキャストコンテンツ関連情報に基づいて、前記移動通信端末が受信可能な無線基地局が配信可能なマルチキャストコンテンツを示す前記コンテンツリストを、前記コンテンツ情報サーバが生成するコンテンツリスト生成ステップと、
前記コンテンツリスト生成ステップにより生成した前記コンテンツリストを前記コンテンツ情報サーバから前記移動通信端末に送信するコンテンツリスト送信ステップと、
前記コンテンツリスト送信ステップにより前記コンテンツ情報サーバが前記移動通信端末に送信した前記コンテンツリストを、前記移動通信端末が受信するコンテンツリスト受信ステップと、
から成ることを特徴とするコンテンツリスト提供方法。
【請求項１２】
マルチキャストコンテンツを特定するための情報と、当該マルチキャストコンテンツに関連するマルチキャストコンテンツ関連情報との対応関係を、前記コンテンツ情報サーバが記憶するマルチキャストコンテンツ情報記憶ステップと、
移動通信端末が、ユーザより前記マルチキャストコンテンツのコンテンツリストの提示要求を受け付けた時に、その時点で通信可能な全ての周辺無線基地局または無線基地局配下のセクタをサーチするサーチステップと、
移動通信端末が、前記サーチステップにより見つけた通信可能な無線基地局または無線基地局配下のセクタにおいて受信可能なマルチキャストコンテンツを特定する情報を、前記コンテンツ情報サーバに送信する受信可能コンテンツ識別子送信ステップと、
前記受信可能コンテンツ識別子送信ステップにより前記移動通信端末が前記コンテンツ情報サーバに送信した受信可能なマルチキャストコンテンツを特定する情報を、前記コンテンツ情報サーバが受信する受信可能コンテンツ識別子受信ステップと、
前記受信可能コンテンツ識別子受信ステップにより受信した移動通信端末が受信可能なマルチキャストコンテンツを特定する情報と、前記マルチキャストコンテンツ情報記憶ステップにより記憶したマルチキャストコンテンツ関連情報に基づいて、前記移動通信端末が受信可能なマルチキャストコンテンツを示す前記コンテンツリストを生成するコンテンツリスト生成ステップと、
前記コンテンツリスト生成ステップにより生成した前記コンテンツリストを前記コンテンツ情報サーバから前記移動通信端末に送信するコンテンツリスト送信ステップと、
前記コンテンツリスト送信ステップにより前記コンテンツ情報サーバが前記移動通信端末に送信した前記コンテンツリストを、前記移動通信端末が受信するコンテンツリスト受信ステップと、
から成ることを特徴とするコンテンツリスト提供方法。
【請求項１３】
通信機能を備えるコンピュータを、
ユーザより前記マルチキャストコンテンツのコンテンツリストの提示要求を受け付けた時に、その時点で通信可能な全ての周辺無線基地局または無線基地局配下のセクタをサーチするサーチ手段、
前記サーチ手段により検出した通信可能な無線基地局または無線基地局配下のセクタを特定する情報を、前記コンテンツ情報サーバに通知する通信可能無線基地局情報通知手段、
前記通信可能無線基地局情報通知手段により通知した通信可能な無線基地局または無線基地局配下のセクタを特定する情報に基づいた前記コンテンツリストを前記コンテンツ情報サーバから取得するコンテンツリスト取得手段、
前記コンテンツリスト取得手段が取得した前記コンテンツリストを、ユーザに提示する提示手段、
として機能させるためのコンピュータプログラム。
【請求項１４】
通信機能を有するコンピュータを、
ユーザより前記マルチキャストコンテンツのコンテンツリストの提示要求を受け付けた時に、その時点で通信可能な全ての周辺無線基地局または無線基地局配下のセクタをサーチするサーチ手段、
前記サーチ手段により検出した通信可能な無線基地局または無線基地局配下のセクタにおいて受信可能なマルチキャストコンテンツを特定する情報を、前記コンテンツ情報サーバに通知する受信可能コンテンツ識別子通知手段、
前記受信可能コンテンツ識別子通知手段により通知した通信可能な無線基地局または無線基地局配下のセクタにおいて受信可能なマルチキャストコンテンツを特定する情報に基づいた前記コンテンツリストを前記コンテンツ情報サーバから取得するコンテンツリスト取得手段、
前記コンテンツリスト取得手段が取得した前記コンテンツリストを、ユーザに提示する提示手段、
として機能させるコンピュータプログラム。
【請求項１５】
コンピュータを、
マルチキャストコンテンツを配信可能な無線基地局または無線基地局配下のセクタと、当該マルチキャストコンテンツに関連するマルチキャストコンテンツ関連情報との対応関係を記憶するマルチキャストコンテンツ情報記憶手段、
ユーザより前記マルチキャストコンテンツのコンテンツリストの提示要求を受け付けた時に、その時点で通信可能な全ての周辺無線基地局または無線基地局配下のセクタをサーチするサーチ手段を備える移動通信端末であって、マルチキャストサービス利用可能な移動通信端末が送信した通信可能な無線基地局または無線基地局配下のセクタを特定する情報を受信する無線基地局特定情報受信手段、
前記無線基地局特定情報受信手段により受信した無線基地局特定情報と、前記マルチキャストコンテンツ情報記憶手段により記憶しているマルチキャストコンテンツ関連情報に基づいて、前記移動通信端末が受信可能な無線基地局が配信可能なマルチキャストコンテンツを示す前記コンテンツリストを生成するコンテンツリスト生成手段、
前記コンテンツリスト生成手段により生成した前記コンテンツリストを前記移動通信端末に送信するコンテンツリスト送信手段、
として機能させるコンピュータプログラム。
【請求項１６】
コンピュータを、
マルチキャストコンテンツを特定するための情報と、当該マルチキャストコンテンツに関連するマルチキャストコンテンツ関連情報との対応関係を記憶するマルチキャストコンテンツ情報記憶手段、
ユーザより前記マルチキャストコンテンツのコンテンツリストの提示要求を受け付けた時に、その時点で通信可能な全ての周辺無線基地局または無線基地局配下のセクタをサーチするサーチ手段を備える移動通信端末であって、マルチキャストサービス利用可能な移動通信端末が送信した受信可能なマルチキャストコンテンツを特定する情報を受信する受信可能コンテンツ識別子受信手段、
前記受信可能コンテンツ識別子受信手段により受信した移動通信端末が受信可能なマルチキャストコンテンツを特定する情報と、前記マルチキャストコンテンツ情報記憶手段により記憶しているマルチキャストコンテンツ関連情報に基づいて、前記移動通信端末が受信可能なマルチキャストコンテンツを示す前記コンテンツリストを生成するコンテンツリスト生成手段、
前記コンテンツリスト生成手段により生成した前記コンテンツリストを前記移動通信端末に送信するコンテンツリスト送信手段、
として機能させるコンピュータプログラム。
【発明の詳細な説明】
【技術分野】
【０００１】
本願発明は、マルチキャストサービスを利用可能な移動通信端末及びマルチキャストサービス用の番組表等のマルチキャスト関連情報を提供するシステムに関する。
【背景技術】
【０００２】
近年、映像や音声等のコンテンツを、ＡＤＳＬやＦＴＴＨのような有線ブロードバンド回線を介して、複数のユーザに対して同時に送信する放送型サービスが広まりつつある。このようなマルチキャストサービスには、ＩＧＭＰ（Ｉｎｔｅｒｎｅｔ  Ｇｒｏｕｐ  Ｍａｎａｇｅｍｅｎｔ  Ｐｒｏｔｏｃｏｌ）に代表されるＩＰマルチキャスト技術が利用されている。
【０００３】
マルチキャストサービスは有線通信に限らず無線通信の分野にも広がっており、携帯電話でのマルチキャストサービスを提供するための具体的な方法について、非特許文献１及び２、特許文献１等で提案されている。携帯電話システムにおいては、下りトラフィックチャネルの一部をマルチキャストサービス用とし、サービスを利用する全ての移動通信端末が同一チャネルをモニタすることで、複数の移動通信端末が同じデータを同時に受信することができる。
【０００４】
上記マルチキャストサービスをモバイル機器に適用した場合の課題の一つに、各移動先にて受信可能なコンテンツをどのように知るかという問題が挙げられる。これは、通信回線を利用しないテレビやラジオのような一般的な放送サービスの場合でも同様であり、場所（地域）によって受信可能な放送局の種類やチャネル番号、各放送局の配信スケジュールが異なるためである。この問題に関して、受信端末からチャネル番号とともに位置情報を番組情報サーバに通知して、番組情報サーバから現在地に応じた番組（コンテンツ）情報を取得する方法が提案されている（例えば、特許文献２）。もし、番組情報サーバから配信地域によらず全ての番組（コンテンツ）リストや配信スケジュール情報を取得した場合には、現在地では受信できない番組（コンテンツ）に関する情報まで取得してしまう可能性があるが、上記の方法を用いれば、無駄な番組（コンテンツ）情報を受信することなく、現在地で受信可能な番組（コンテンツ）情報のみを取得することが可能となる。
【特許文献１】特開２００１−３０８８５６号公報
【特許文献２】特開２００３−１５８７２６号公報
【非特許文献１】３ＧＰＰ２  Ｓｐｅｃｉｆｉｃａｔｉｏｎ  Ｃ．Ｓ０００５−Ｒｅｖ．Ｄ
【非特許文献２】３ＧＰＰ２  Ｓｐｅｃｉｆｉｃａｔｉｏｎ  Ｃ．Ｓ００５４
【発明の開示】
【発明が解決しようとする課題】
【０００５】
しかしながら、上記の方法が適用できるのは、配信番組（コンテンツ）や配信スケジュールが都道府県毎といった比較的大きな単位毎に異なる場合のみである。携帯電話向けマルチキャストサービスでは、セクタ毎といった小さい単位で配信番組（コンテンツ）を変えることができる。このため、特許文献２に開示された方法で移動通信端末が現在地に応じた番組（コンテンツ）情報を取得しようとすれば、番組情報サーバにセクタ毎に番組情報を格納する必要があり、膨大なデータを格納しておく必要があり、非効率で現実的ではない。また、携帯電話の電波は周辺の建造物等の影響を受けやすいため、現在地情報が分かったとしても、その場所でどの番組（コンテンツ）が受信可能か、すなわち、どの基地局の電波を受信可能かということを正確に把握するのは困難である。
【０００６】
本発明は上記問題を解決し、現在地で受信可能な番組（コンテンツ）情報を取得し、現在地で受信できない番組（コンテンツ）情報は極力取得しないで済む移動通信端末及びそれに関連するコンテンツ情報サーバ及びコンテンツリスト提供方法を提供することを目的とする。
【０００７】
また、本発明は、マルチキャスト関連情報の取得・提供を効率化することを他の目的とする。
【課題を解決するための手段】
【０００８】
上記目的を達成するため、本願発明の第１の観点に係る移動通信端末は、
情報配信装置から無線区間を介してマルチキャストコンテンツの配信サービスを受ける機能と前記情報配信装置から配信されるマルチキャストコンテンツに関連するマルチキャストコンテンツ関連情報を保持するコンテンツ情報サーバと通信する機能を有する移動通信端末であって、
ユーザより前記マルチキャストコンテンツのコンテンツリストの提示要求を受け付けた時に、その時点で通信可能な全ての周辺無線基地局または無線基地局配下のセクタをサーチするサーチ手段と、
前記サーチ手段により検出した通信可能な無線基地局または無線基地局配下のセクタを特定する情報を、前記コンテンツ情報サーバに通知する通信可能無線基地局情報通知手段と、
前記通信可能無線基地局情報通知手段により通知した通信可能な無線基地局または無線基地局配下のセクタを特定する情報に基づいた前記コンテンツリストを前記コンテンツ情報サーバから取得するコンテンツリスト取得手段と、
前記コンテンツリスト取得手段が取得した前記コンテンツリストを、ユーザに提示する提示手段と、
を有することを特徴とする。
【０００９】
上記目的を達成するため、本願発明の第２の観点に係る移動通信端末は、
情報配信装置から無線区間を介してマルチキャストコンテンツの配信サービスを受ける機能と前記情報配信装置から配信されるマルチキャストコンテンツに関連するマルチキャストコンテンツ関連情報を保持するコンテンツ情報サーバと通信可能な移動通信端末において、
ユーザより前記マルチキャストコンテンツのコンテンツリストの提示要求を受け付けた時に、その時点で通信可能な全ての周辺無線基地局または無線基地局配下のセクタをサーチするサーチ手段と、
前記サーチ手段により検出した通信可能な無線基地局または無線基地局配下のセクタにおいて受信可能なマルチキャストコンテンツを特定する情報を、前記コンテンツ情報サーバに通知する受信可能コンテンツ識別子通知手段と、
前記受信可能コンテンツ識別子通知手段により通知した通信可能な無線基地局または無線基地局配下のセクタにおいて受信可能なマルチキャストコンテンツを特定する情報に基づいた前記コンテンツリストを前記コンテンツ情報サーバから取得するコンテンツリスト取得手段と、
前記コンテンツリスト取得手段が取得した前記コンテンツリストを、ユーザに提示する提示手段と、
を有することを特徴とする。
【００１０】
前記コンテンツ情報サーバが保持するマルチキャストコンテンツ関連情報は、例えば、少なくとも当該マルチキャストコンテンツの配信に使用するマルチキャストIPアドレスを含む。
【００１１】
前記コンテンツ情報サーバが保持するマルチキャストコンテンツ関連情報は、例えば、コンテンツタイトル、あらすじ、配信開始時刻、配信終了時刻、配信セクタを特定する情報のいずれかを含んでもよい。前記配信セクタを特定する情報は、例えば、周波数帯を特定する情報、チャネルを特定する情報、周波数拡散変調用の疑似乱数パターンを特定する情報のいずれかを含んでもよい。
【００１２】
上記目的を達成するため、この発明の第３の観点に係るコンテンツ情報サーバは、
マルチキャストコンテンツを配信可能な無線基地局または無線基地局配下のセクタと、当該マルチキャストコンテンツに関連するマルチキャストコンテンツ関連情報との対応関係を記憶するマルチキャストコンテンツ情報記憶手段と、
ユーザより前記マルチキャストコンテンツのコンテンツリストの提示要求を受け付けた時に、その時点で通信可能な全ての周辺無線基地局または無線基地局配下のセクタをサーチするサーチ手段を備える移動通信端末であって、マルチキャストサービス利用可能な移動通信端末が送信した通信可能な無線基地局または無線基地局配下のセクタを特定する情報を受信する無線基地局特定情報受信手段と、
前記無線基地局特定情報受信手段により受信した無線基地局特定情報と、前記マルチキャストコンテンツ情報記憶手段により記憶しているマルチキャストコンテンツ関連情報に基づいて、前記移動通信端末が受信可能な無線基地局が配信可能なマルチキャストコンテンツを示す前記コンテンツリストを生成するコンテンツリスト生成手段と、
前記コンテンツリスト生成手段により生成した前記コンテンツリストを前記移動通信端末に送信するコンテンツリスト送信手段と、
を有することを特徴とする。
【００１３】
上記目的を達成するため、この発明の第４の観点に係るコンテンツ情報サーバは、
マルチキャストコンテンツを特定するための情報と、当該マルチキャストコンテンツに関連するマルチキャストコンテンツ関連情報との対応関係を記憶するマルチキャストコンテンツ情報記憶手段と、
ユーザより前記マルチキャストコンテンツのコンテンツリストの提示要求を受け付けた時に、その時点で通信可能な全ての周辺無線基地局または無線基地局配下のセクタをサーチするサーチ手段を備える移動通信端末であって、マルチキャストサービス利用可能な移動通信端末が送信した受信可能なマルチキャストコンテンツを特定する情報を受信する受信可能コンテンツ識別子受信手段と、
前記受信可能コンテンツ識別子受信手段により受信した移動通信端末が受信可能なマルチキャストコンテンツを特定する情報と、前記マルチキャストコンテンツ情報記憶手段により記憶しているマルチキャストコンテンツ関連情報に基づいて、前記移動通信端末が受信可能なマルチキャストコンテンツを示す前記コンテンツリストを生成するコンテンツリスト生成手段と、
前記コンテンツリスト生成手段により生成した前記コンテンツリストを前記移動通信端末に送信するコンテンツリスト送信手段と、
を有することを特徴とする。
【００１４】
前記マルチキャストコンテンツ関連情報は、例えば、少なくとも当該マルチキャストコンテンツの配信に使用するマルチキャストIPアドレスを含む。
或いは、前記マルチキャストコンテンツ関連情報は、コンテンツタイトル、あらすじ、配信開始時刻、配信終了時刻、配信セクタを特定する情報のいずれかを含んでもよい。前記配信セクタを特定する情報は、例えば、周波数帯を特定する情報、チャネルを特定する情報、周波数拡散変調用の疑似乱数パターンを特定する情報のいずれかを含む。
【００１５】
上記目的を達成するため、この発明の第５の観点に係るコンテンツリスト提供方法は、
マルチキャストコンテンツを配信可能な無線基地局または無線基地局配下のセクタと、当該マルチキャストコンテンツに関連するマルチキャストコンテンツ関連情報との対応関係を、前記コンテンツ情報サーバが記憶するマルチキャストコンテンツ情報記憶ステップと、
移動通信端末が、ユーザより前記マルチキャストコンテンツのコンテンツリストの提示要求を受け付けた時に、その時点で通信可能な全ての周辺無線基地局または無線基地局配下のセクタをサーチするサーチステップと、
移動通信端末が、前記サーチステップにより取得した通信可能な無線基地局または無線基地局配下のセクタを特定する情報を、前記コンテンツ情報サーバに送信する通信可能無線基地局情報送信ステップと、
前記通信可能無線基地局情報送信ステップにより前記移動通信端末が前記コンテンツ情報サーバに送信した無線基地局特定情報を、前記コンテンツ情報サーバが受信する無線基地局特定情報受信ステップと、
前記無線基地局特定情報受信ステップにより受信した無線基地局特定情報と、前記マルチキャストコンテンツ情報記憶ステップにより記憶したマルチキャストコンテンツ関連情報に基づいて、前記移動通信端末が受信可能な無線基地局が配信可能なマルチキャストコンテンツを示す前記コンテンツリストを、前記コンテンツ情報サーバが生成するコンテンツリスト生成ステップと、
前記コンテンツリスト生成ステップにより生成した前記コンテンツリストを前記コンテンツ情報サーバから前記移動通信端末に送信するコンテンツリスト送信ステップと、
前記コンテンツリスト送信ステップにより前記コンテンツ情報サーバが前記移動通信端末に送信した前記コンテンツリストを、前記移動通信端末が受信するコンテンツリスト受信ステップと、
から成ることを特徴とする。
【００１６】
上記目的を達成するため、この発明の第６の観点に係るコンテンツリスト提供方法は、
マルチキャストコンテンツを特定するための情報と、当該マルチキャストコンテンツに関連するマルチキャストコンテンツ関連情報との対応関係を、前記コンテンツ情報サーバが記憶するマルチキャストコンテンツ情報記憶ステップと、
移動通信端末が、ユーザより前記マルチキャストコンテンツのコンテンツリストの提示要求を受け付けた時に、その時点で通信可能な全ての周辺無線基地局または無線基地局配下のセクタをサーチするサーチステップと、
移動通信端末が、前記サーチステップにより見つけた通信可能な無線基地局または無線基地局配下のセクタにおいて受信可能なマルチキャストコンテンツを特定する情報を、前記コンテンツ情報サーバに送信する受信可能コンテンツ識別子送信ステップと、
前記受信可能コンテンツ識別子送信ステップにより前記移動通信端末が前記コンテンツ情報サーバに送信した受信可能なマルチキャストコンテンツを特定する情報を、前記コンテンツ情報サーバが受信する受信可能コンテンツ識別子受信ステップと、
前記受信可能コンテンツ識別子受信ステップにより受信した移動通信端末が受信可能なマルチキャストコンテンツを特定する情報と、前記マルチキャストコンテンツ情報記憶ステップにより記憶したマルチキャストコンテンツ関連情報に基づいて、前記移動通信端末が受信可能なマルチキャストコンテンツを示す前記コンテンツリストを生成するコンテンツリスト生成ステップと、
前記コンテンツリスト生成ステップにより生成した前記コンテンツリストを前記コンテンツ情報サーバから前記移動通信端末に送信するコンテンツリスト送信ステップと、
前記コンテンツリスト送信ステップにより前記コンテンツ情報サーバが前記移動通信端末に送信した前記コンテンツリストを、前記移動通信端末が受信するコンテンツリスト受信ステップと、
から成ることを特徴とする。
【００１７】
上記目的を達成するため、この発明の第７の観点に係るコンピュータプログラムは、
通信機能を備えるコンピュータを、
ユーザより前記マルチキャストコンテンツのコンテンツリストの提示要求を受け付けた時に、その時点で通信可能な全ての周辺無線基地局または無線基地局配下のセクタをサーチするサーチ手段、
前記サーチ手段により検出した通信可能な無線基地局または無線基地局配下のセクタを特定する情報を、前記コンテンツ情報サーバに通知する通信可能無線基地局情報通知手段、
前記通信可能無線基地局情報通知手段により通知した通信可能な無線基地局または無線基地局配下のセクタを特定する情報に基づいた前記コンテンツリストを前記コンテンツ情報サーバから取得するコンテンツリスト取得手段、
前記コンテンツリスト取得手段が取得した前記コンテンツリストを、ユーザに提示する提示手段、
として機能させる。
【００１８】
上記目的を達成するため、この発明の第８の観点に係るコンピュータプログラムは、
通信機能を有するコンピュータを、
ユーザより前記マルチキャストコンテンツのコンテンツリストの提示要求を受け付けた時に、その時点で通信可能な全ての周辺無線基地局または無線基地局配下のセクタをサーチするサーチ手段、
前記サーチ手段により検出した通信可能な無線基地局または無線基地局配下のセクタにおいて受信可能なマルチキャストコンテンツを特定する情報を、前記コンテンツ情報サーバに通知する受信可能コンテンツ識別子通知手段、
前記受信可能コンテンツ識別子通知手段により通知した通信可能な無線基地局または無線基地局配下のセクタにおいて受信可能なマルチキャストコンテンツを特定する情報に基づいた前記コンテンツリストを前記コンテンツ情報サーバから取得するコンテンツリスト取得手段、
前記コンテンツリスト取得手段が取得した前記コンテンツリストを、ユーザに提示する提示手段、
として機能させる。
【００１９】
上記目的を達成するため、この発明の第９の観点に係るコンピュータプログラムは、
コンピュータを、
マルチキャストコンテンツを配信可能な無線基地局または無線基地局配下のセクタと、当該マルチキャストコンテンツに関連するマルチキャストコンテンツ関連情報との対応関係を記憶するマルチキャストコンテンツ情報記憶手段、
ユーザより前記マルチキャストコンテンツのコンテンツリストの提示要求を受け付けた時に、その時点で通信可能な全ての周辺無線基地局または無線基地局配下のセクタをサーチするサーチ手段を備える移動通信端末であって、マルチキャストサービス利用可能な移動通信端末が送信した通信可能な無線基地局または無線基地局配下のセクタを特定する情報を受信する無線基地局特定情報受信手段、
前記無線基地局特定情報受信手段により受信した無線基地局特定情報と、前記マルチキャストコンテンツ情報記憶手段により記憶しているマルチキャストコンテンツ関連情報に基づいて、前記移動通信端末が受信可能な無線基地局が配信可能なマルチキャストコンテンツを示す前記コンテンツリストを生成するコンテンツリスト生成手段、
前記コンテンツリスト生成手段により生成した前記コンテンツリストを前記移動通信端末に送信するコンテンツリスト送信手段、
として機能させる。
【００２０】
上記目的を達成するため、この発明の第１０の観点に係るコンピュータプログラムは、
コンピュータを、
マルチキャストコンテンツを特定するための情報と、当該マルチキャストコンテンツに関連するマルチキャストコンテンツ関連情報との対応関係を記憶するマルチキャストコンテンツ情報記憶手段、
ユーザより前記マルチキャストコンテンツのコンテンツリストの提示要求を受け付けた時に、その時点で通信可能な全ての周辺無線基地局または無線基地局配下のセクタをサーチするサーチ手段を備える移動通信端末であって、マルチキャストサービス利用可能な移動通信端末が送信した受信可能なマルチキャストコンテンツを特定する情報を受信する受信可能コンテンツ識別子受信手段、
前記受信可能コンテンツ識別子受信手段により受信した移動通信端末が受信可能なマルチキャストコンテンツを特定する情報と、前記マルチキャストコンテンツ情報記憶手段により記憶しているマルチキャストコンテンツ関連情報に基づいて、前記移動通信端末が受信可能なマルチキャストコンテンツを示す前記コンテンツリストを生成するコンテンツリスト生成手段、
前記コンテンツリスト生成手段により生成した前記コンテンツリストを前記移動通信端末に送信するコンテンツリスト送信手段、
として機能させる。
【発明の効果】
【００２１】
本発明によれば、現在地で受信可能な番組（コンテンツ）情報を取得し、現在地で受信できない番組（コンテンツ）情報は極力取得しないようにできる。従って、マルチキャストサービス利用時の使い勝手を向上させた移動通信端末及びそれに関連するコンテンツ情報サーバ及びコンテンツリスト提供方法を提供することが可能となる。
【発明を実施するための最良の形態】
【００２２】
（実施形態１）
本発明に関わる実施形態１を図１から図８を参照して説明する。
図１は、本発明に関わるモバイル通信システムの全体構成図である。図示するように、このモバイル通信システム１０は、移動通信端末１００、無線基地局２００、通信網３００、コンテンツサーバ４００、マルチキャスト制御装置５００、モバイル番組情報サーバ６００から構成される。
【００２３】
移動通信端末１００は、無線基地局２００との間に無線通信回線を確立することで、インタネットや各種ローカルネットワーク等の通信網３００を介して、ネットワーク上の様々な通信装置と通信を行うことができる。また、無線基地局２００が送信するマルチキャストサービス報知情報を受信し、それに従って無線基地局２００が送信するマルチキャストコンテンツを受信することができる。なお、図１には、移動通信端末を１台のみ開示するが、複数の移動通信端末１００が存在する。
【００２４】
無線基地局２００は、移動通信端末と一対一の無線通信回線を使用する通信だけではなく、マルチキャスト用の無線通信回線を使用した通信も可能である。無線基地局２００は、マルチキャスト通信を行うために、各マルチキャストコンテンツを特定する識別子や、どの変調方式や誤り訂正符号を使用して送信するのかを示す無線通信チャネル情報を含んだマルチキャストサービス報知情報を送信する。この無線通信チャネル情報は、後述のマルチキャスト制御装置５００から取得する。
【００２５】
通信網３００は、電話回線網とインターネットを含む。
コンテンツサーバ４００は、マルチキャストコンテンツを保持し、それらをマルチキャスト通信によって送信する機能を持つ。
【００２６】
マルチキャスト制御装置５００は、コンテンツサーバ４００が送信するマルチキャストコンテンツに関する様々な設定情報を保持する。ここでいう設定情報には、例えば、マルチキャストコンテンツを特定するための識別子や、ＩＰ（Internet Protocol)マルチキャストに使用するＩＰアドレス、ＴＣＰ(Transmission Control Protocol)やＵＤＰ(User Datagram Protocol)のポート番号がある。他にも、変調方式、誤り訂正符号種別、チャネル番号といった無線通信チャネル情報も含まれる。この無線通信チャネル情報は、前述のように無線基地局２００が自局のエリア内の移動通信端末にマルチキャストコンテンツを送信する際の送信条件として使用される。
【００２７】
モバイル番組情報サーバ６００は、コンテンツサーバ４００が送信するマルチキャストコンテンツに関する詳細情報を保持する。ここでいう詳細情報には、例えば、番組タイトルやあらすじ、出演者、送信開始・終了時刻、配信地域（送信可能な基地局やセクタ）といった情報を含む。また、マルチキャストコンテンツを特定するための識別子や、ＩＰマルチキャストに使用するＩＰアドレス、ＴＣＰやＵＤＰのポート番号、送信チャネル等の情報も含む。さらには、各セクタで送信可能なマルチキャストコンテンツのリスト、言い換えれば、各マルチキャストコンテンツがどのセクタで送信可能であるかを示す情報も保持している。モバイル番組情報サーバ６００は、これらの情報から電子番組表（ＥＰＧ）を作成することが可能である。なお、コンテンツサーバ４００が複数存在する場合、モバイル番組情報サーバ６００は、複数のコンテンツサーバ４００が送信するマルチキャストコンテンツに関する詳細情報を保持する。
【００２８】
図２は、移動通信端末１００の構成図である。図示するように、移動通信端末１００は、第一通信部１０１、第二通信部１０２、記憶部１０３、表示部１０４、キー入力部１０５、音声入出力部１０６、制御部１０７を備えている。
【００２９】
第一通信部１０１は、無線・有線の通信回線と接続して、電話等の音声通話、メール・ウェブ等のデータ通信を行う。また、送受信するデータの変調・復調を行う変調部、復調部を備えている。
【００３０】
第二通信部１０２は、無線リンクを介したマルチキャストコンテンツの受信と、マルチキャストサービス利用のための制御メッセージの送受信を行う。また、送受信するデータの変調・復調を行う変調部、復調部を備えている。具体的には、第２通信部１０２は、基地局２００が送信するマルチキャストサービス報知情報を受信し、マルチキャストサービスを利用するために必要な情報を取得する。また、マルチキャストサービス報知情報で通知されたマルチキャスト用チャネルの送信条件に従ってそのチャネルをモニタし、マルチキャストコンテンツを受信する。さらには、マルチキャストコンテンツの送信開始要求や送信停止通知等の制御情報を基地局に送信する。
【００３１】
記憶部１０３は、プログラム、音声、映像、メール、ウェブ、その他のユーザデータ等を記憶するものであり、移動通信端末１００に内蔵されたメモリ、取り外し可能なメモリカード等の外部メモリのいずれであっても構わない。
【００３２】
表示部１０４は、液晶ディスプレイ等の表示画面を備え、受信したマルチキャストコンテンツの映像や、メール、ウェブ、基本操作画面等を表示する。また、メイン画面・サブ画面等の複数の表示画面を備えていても構わない。
【００３３】
キー入力部１０５は、テンキー、ファンクションキー、タッチパネル、音声入力等によりユーザからの入力を受け付ける。
【００３４】
音声入出力部１０６は、入力された音声を信号に変換するマイク等の音声入力部、音声を出力するスピーカ等の音声出力部を備えている。
【００３５】
制御部１０７は、移動通信端末１００全体、即ち第一通信部１０１、第二通信部１０２、記憶部１０３、表示部１０４、キー入力部１０５、音声入出力部１０６等の制御を行う。
例えば、制御部１０７は、ユーザによるキー入力部１０５の操作を検出する。そして、例えば、ユーザが音声通話操作を行った場合、制御部１０７は、記憶部１０３に格納された音声通話用の通信回線確立処理プログラムに基づいて第一通信部１０１を制御し、通信回線を確立する。通信回線が確立したらその旨を表示部１０４に表示し、音声入出力部１０６から入力された音声信号を第一通信部１０１を介して通話相手に送信する。また、第一通信部１０１を介して受信した音声データを音声入出力部１０６から音声信号として出力する。また、制御部１０７は、例えば、第二通信部１０２を介してマルチキャストコンテンツを受信した場合に、記憶部１０３に格納されたマルチキャストコンテンツ再生プログラムに基づいてマルチキャストコンテンツの再生を行い、その映像を表示部１０４に表示し、音声は音声入出力部１０６から出力させる、といった制御を行う。
【００３６】
なお、第一通信部１０１と第二通信部１０２とが別々のモジュールとしてではなく、兼用のモジュールとして構成されていても良い。これにより、装置の小型化を図ることができる。
【００３７】
図３は、モバイル番組情報サーバ６００の構成図である。図示するように、モバイル番組情報サーバ６００は、通信部６０１、記憶部６０２、表示部６０３、入力部６０４、制御部６０５を備えている。
【００３８】
通信部６０１は、通信網３００を介してネットワーク上の様々な通信装置とデータ通信を行う。
【００３９】
記憶部６０２は、プログラムや、コンテンツサーバ４００が送信するマルチキャストコンテンツに関する詳細情報を保持する。
【００４０】
表示部６０３は、液晶ディスプレイ等の表示画面を備え、プログラムの動作状況やオペレータ用の基本操作画面等を表示する。
【００４１】
入力部６０４は、キーボードやマウス等によりユーザからの入力を受け付ける。
【００４２】
制御部６０５は、モバイル番組情報サーバ全体、即ち通信部６０１、記憶部６０２、表示部６０３、入力部６０４等の制御を行う。
【００４３】
記憶部６０２に記憶されるコンテンツサーバ４００が送信するマルチキャストコンテンツに関する詳細情報のデータ構造例を図４に示す。図示するように、詳細情報は、例えば、通信システム種別情報４０１、周波数帯種別情報４０２、チャネル番号情報４０３、ＰＮ番号情報４０４、送信可能マルチキャストコンテンツ情報４０５等の項目から構成される。ここで、送信可能マルチキャストコンテンツ情報４０５は、マルチキャストコンテンツを特定する識別子、タイトルやあらすじ、出演者、送信開始・終了時刻、モバイル番組情報サーバ６００のＩＰマルチキャストに使用するＩＰアドレス、ＴＣＰやＵＤＰのポート番号、送信チャネル等の情報を含む。この例では、ＥＶ−ＤＯの８００ＭＨｚ帯の１００チャネルにおいて、ＰＮ番号（送信に使用する疑似ランダム乱数のパターン番号）によって送信可能（移動通信端末から見た場合には受信可能）なマルチキャストコンテンツの種類が３パターンに分かれている。通常このチャネルを使用可能な移動通信端末は番組Ａ、Ｂ、Ｃを受信可能であるが、ＰＮ番号１００から２００が使用されるセクタ内では番組Ｃを受信できない代わりにローカル番組Ｄが受信可能である。ＰＮ番号４００から５００が使用されるセクタ内では番組Ａ、Ｂ、Ｃ、Ｄとも受信できないが、ローカル番組Ｅが受信可能である。その他も同様で、通信システム、周波数帯、チャネル番号、ＰＮ番号毎に受信可能なマルチキャストコンテンツが異なるが、本データを管理することでどのセクタでどのマルチキャストコンテンツが受信可能かを把握することができる。なお、上記は一例であり、同様の効果を持つデータ構造であれば構成要素は上記に限定しない。
【００４４】
次に、移動通信端末１００が、マルチキャストコンテンツを受信する動作を図５に示す。その際の画面遷移の例を図６に示す。
【００４５】
ユーザがキー入力部１０５を介して現在地で受信可能なマルチキャストコンテンツのリスト（いわゆる番組表）を表示するよう操作を行うと（Ｓ５０１、Ｄ６０１）、移動通信端末１００の制御部１０７は現在どのチャネルが受信可能かを調べるために、第二通信部１０２を制御して近傍の無線基地局２００から送信されているパイロット信号を受信することにより利用可能なセクタをサーチ（捕捉動作）する（Ｓ５０２）。ここでのサーチ対象は、例えば、移動通信端末１００がｃｄｍａ２０００、ＥＶ−ＤＯ、Ｗ−ＣＤＭＡ、無線ＬＡＮといった複数の通信システムに対応している場合は、それらの各通信システム全てまたは一部、また、８００ＭＨｚ帯、１．７ＧＨｚ帯、２ＧＨｚ帯といった複数の周波数帯に対応している場合は、それらの各周波数帯全てまたは一部となる。両者を満たす場合は、通信システム毎に複数の周波数帯がサーチ対象となる。また、同一通信システムや同一周波数帯の中でも複数のチャネル（周波数）が使用可能な場合は、それらの全てまたは一部がサーチ対象となる。
【００４６】
ステップＳ５０２のサーチ結果を受けて、制御部１０７は、現在マルチキャストサービス利用可能なセクタを決定する（Ｓ５０３）。決定方法の例としては、サーチしてパイロット捕捉成功したセクタ全て、またはその中のあらかじめ定めた一定個数をマルチキャストサービス利用可能セクタとする方法、サーチして見つかったセクタのうち、パイロット信号の受信レベルが所定値よりも大きいもの全て、またはその中のあらかじめ定めた一定個数をマルチキャストサービス利用可能セクタとする方法等がある。マルチキャストサービス利用可能セクタを決定したら、そのセクタを特定するための情報を保持する。具体的には、通信システム種別、周波数帯、チャネル番号、ＰＮ番号等を保持する。これ以外でも、無線基地局２００を特定する情報、または無線基地局２００の属性を特定する情報（例えば、無線基地局が地域によってグループ分けされている場合のグループＩＤ等）であっても構わない。なお、ステップＳ５０２、Ｓ５０３の処理は、ステップＳ５０４の前でなくても、ステップＳ５０５を行う前に実施すれば良い。
【００４７】
ステップＳ５０３において、マルチキャストサービス利用可能セクタを決定したら、制御部１０７は、第一通信部１０１を介してモバイル番組情報サーバ６００への接続処理を行う（Ｓ５０４）。ステップＳ５０２からＳ５０４までの間は、Ｄ６０２のような画面を表示部１０４に表示する。
【００４８】
モバイル番組情報サーバ６００への接続処理が成功したら、制御部１０７は、モバイル番組情報サーバ６００に対して、Ｓ５０３にて保持しておいたマルチキャストサービス利用可能セクタ識別情報を通知する（Ｓ５０５）。モバイル番組情報サーバ６００の制御部６０５は、送信されたマルチキャストサービス利用可能セクタ識別情報を通信部６０１を介して受信し、受信したマルチキャストサービス利用可能セクタ識別情報に基づいて、移動通信端末１００が現時点で受信可能な全セクタにて送信されている、または送信可能なマルチキャストコンテンツのリスト（番組表）を記憶部６０２から読み出して移動通信端末１００に通信部６０１を介して送信する（その処理の詳細については後述する）。移動通信端末１００は、このリスト（番組表）を第一通信部１０１を介して受信し、表示部１０４の画面に表示する（Ｓ５０６、Ｄ６０３）。
【００４９】
この画面にてユーザがキー入力部１０５を介して受信したいマルチキャストコンテンツの選択操作を行うと（Ｓ５０７）、移動通信端末１００の制御部１０７は、モバイル番組情報サーバ６００に対して、選択されたマルチキャストコンテンツの詳細情報を取得するよう要求する（Ｓ５０８）。ここで要求する詳細情報とは、マルチキャストコンテンツを特定するための識別子や、ＩＰマルチキャストに使用するＩＰアドレス、ＴＣＰやＵＤＰのポート番号、そのマルチキャストコンテンツを送信する周波数帯やチャネル等のことである。なお、ここではユーザが受信するマルチキャストコンテンツを選択した後にマルチキャストコンテンツの詳細情報を取得するとしたが、Ｓ５０６の時点で全てのマルチキャストコンテンツの詳細情報を取得しても構わない。
【００５０】
所望のマルチキャストコンテンツの詳細情報を取得したら、制御部１０７は、この詳細情報を参照して、そのマルチキャストコンテンツが送信されているチャネルへの遷移処理を行う（Ｓ５０９）。ここでいうチャネル遷移は、必要であれば通信システムの切り替えや周波数帯の遷移も含む。Ｓ５０８にて受信したマルチキャストコンテンツ詳細情報を参照してチャネル遷移処理を行うので、元のチャネルにて一旦マルチキャストサービス報知情報を受信し、それを参照して所望のチャネルへ遷移する方法に比べて、マルチキャストコンテンツ受信までの待ち時間を短縮する効果が得られる。
【００５１】
所望のチャネルへの遷移処理が完了したら、そのチャネルにてマルチキャストサービス報知情報を受信する（Ｓ５１０）。ステップＳ５０８からＳ５１０の間は、Ｄ６０４のような画面を表示部１０４に表示すれば良い。その後、マルチキャストコンテンツの受信を開始し、マルチキャストコンテンツに応じた画面表示及び音声出力を行う（Ｓ５１１、Ｄ６０５）。
【００５２】
次に、モバイル番組情報サーバ６００が、移動通信端末１００にマルチキャストコンテンツのリスト（番組表）を提供するシーケンスを図７に示す。
【００５３】
まず、記憶部６０２に、コンテンツサーバ４００が送信するマルチキャストコンテンツに関する詳細情報（図４）を記憶しておく（Ｓ７０１）。その状態で、移動通信端末１００からの接続要求を待機する（Ｓ７０２）。移動通信端末１００から接続要求があると、通信部６０１は、要求元の移動通信端末１００との間で接続処理を行う。接続処理が完了すると、移動通信端末１００がマルチキャストサービス利用可能セクタ識別情報を通知してくるのを待つ（Ｓ７０３）。マルチキャストサービス利用可能セクタ識別情報を受信したら、あらかじめ記憶してあるセクタと送信可能マルチキャストコンテンツとの対応関係データから、その移動通信端末１００が受信可能なマルチキャストコンテンツのリスト（番組表）を生成する（Ｓ７０４）。ステップＳ７０４にて、移動通信端末１００が受信可能なマルチキャストコンテンツのリスト（番組表）を生成したら、移動通信端末１００に送信する（Ｓ７０５）。
【００５４】
例えば、移動通信端末１００が、ＥＶ−ＤＯ、８００ＭＨｚ帯、１００チャネルのＰＮ＝１５０、５５０のセクタ（図４の表の１行目と３行目に該当）と、ＥＶ−ＤＯ、８００ＭＨｚ帯、３００チャネルのＰＮ＝３００のセクタ（図４の表の５行目に該当）と、Ｗ−ＣＤＭＡ、２ＧＨｚ帯、３５０チャネルのＰＮ＝４００のセクタ（図４の表の７行目に該当）の電波を受信可能であるとモバイル番組情報サーバ６００に通知した場合、モバイル番組情報サーバ６００が送信したマルチキャストコンテンツのリスト（番組表）は、移動通信端末１００の画面において図８のＤ８０１ように表示される。
【００５５】
以上により、移動通信端末を使用してマルチキャストサービスを利用する際に、場所によって送信されるマルチキャストコンテンツが異なる場合でも、ユーザは現在地を意識することなく、現在地で受信可能なマルチキャストコンテンツのみが含まれたリスト（番組表）を取得することができる。すなわち、現在地で受信できないマルチキャストコンテンツが含まれたリスト（番組表）を取得することを防ぐことができる。
【００５６】
（実施形態２）
本発明の第二の実施形態に係るモバイル通信システムを図９と図１０を参照して説明する。
本実施形態のシステム全体構成と移動通信端末１００の構成、及びモバイル番組情報サーバ６００の構成は、基本的に図１〜図３に示した第一の実施形態に係るモバイル通信システムの構成と同様である。ただし、モバイル番組情報サーバ６００が予め記憶しておくマルチキャストコンテンツのリストは、図４に示したようなセクタ毎の送信可能マルチキャストコンテンツのリストである必要はない。
【００５７】
図９に本実施形態におけるマルチキャストコンテンツ詳細情報の一例を示す。図示するように、このマルチキャストコンテンツ詳細情報は、マルチキャストコンテンツ（番組）識別子９０１と、タイトル（番組名）９０２と、開始時刻９０３と、終了時刻９０４と、マルチキャストＩＰアドレス９０５と、ＴＣＰやＵＤＰのポート番号９０６等から構成される。図４のように通信システム種別、周波数帯種別、チャネル番号、ＰＮ番号といったセクタを特定するための情報が含まれていても構わない。
【００５８】
なお、これは一例であり、同様の効果を持つデータ構造であれば構成要素はこれらに限らない。
【００５９】
次に、移動通信端末１００が、マルチキャストコンテンツを受信するシーケンスを図１０を参照して説明する。
【００６０】
まず、移動通信端末１００は、無線基地局２００が送信するマルチキャストサービス報知情報を受信する（Ｓ１００１）。移動通信端末１００が受信したマルチキャストサービス報知情報には、そのセクタにて送信可能なマルチキャストコンテンツの識別子や、そのセクタの近隣セクタにて送信可能なマルチキャストコンテンツの識別子が含まれている。すなわち、どの周波数帯、チャネルやセクタにて、どのマルチキャストコンテンツが送信されるかが分かる。また、各マルチキャストコンテンツの送信条件（変調方式や誤り訂正符号種別等）も含まれる。移動通信端末１００の制御部１０７は、これらの情報を記憶部１０３に保持する。移動通信端末１００が複数の通信システムに対応している場合、受信可能な通信システムそれぞれにおいてマルチキャストサービス報知情報を受信する。
【００６１】
マルチキャストサービス報知情報を受信した後に、ユーザがキー入力部１０５を介して現在地で受信可能なマルチキャストコンテンツのリスト（いわゆる番組表）を表示するよう操作を行うと（Ｓ１００２）、移動通信端末１００の制御部１０７は、現在どのチャネルが受信可能かを調べるためにサーチ（捕捉動作）を行う（Ｓ１００３）。このサーチ動作（ステップＳ１００２、Ｓ１００３）は、図５のステップＳ５０１からＳ５０２のサーチ動作と同様である。
【００６２】
ステップＳ１００３でのサーチ結果を受けて、移動通信端末１００が現在受信可能なマルチキャストコンテンツ（番組）の識別子を決定する（Ｓ１００４）。これは、ステップＳ１００１にて取得したマルチキャストサービス報知情報によりどのセクタにてどのマルチキャストコンテンツが送信可能かが分かり、ステップＳ１００３にてどのセクタの電波を受信可能かが分かるため、それらからどのマルチキャストコンテンツを受信可能かが分かる。ここで受信可能と判断したマルチキャストコンテンツ（番組）の識別子を記憶部１０３に保持しておく。なお、Ｓ１００３、Ｓ１００４の処理は、Ｓ１００５の前でなくても、Ｓ１００６を行う前に実施すれば良い。
【００６３】
その後、モバイル番組情報サーバ６００への接続処理を行う（Ｓ１００５）。Ｓ１００５は、図５のＳ５０４と同様である。
【００６４】
モバイル番組情報サーバ６００への接続処理が成功したら、モバイル番組情報サーバ６００に対して、Ｓ１００４にて保持しておいた受信可能マルチキャストコンテンツ（番組）識別子を通知する（Ｓ１００６）。モバイル番組情報サーバ６００は、受信した受信可能マルチキャストコンテンツ（番組）識別子と、あらかじめ記憶しているマルチキャストコンテンツ全体リスト（番組表）とから、移動通信端末１００用の受信可能マルチキャストコンテンツリスト（番組表）を作成して送信する。移動通信端末１００は作成された受信可能マルチキャストコンテンツリスト（番組表）を受信する（Ｓ１００７）。
【００６５】
ユーザが、キー入力部１０５を操作して、ステップＳ１００７で取得した受信可能マルチキャストコンテンツリスト（番組表）から、受信したいマルチキャストコンテンツを選択する操作を行うと（Ｓ１００８）、移動通信端末１００の制御部１０７は、第一通信部１０１と無線基地局２００を介してモバイル番組情報サーバ６００に対して、選択されたマルチキャストコンテンツの詳細情報を取得するよう要求する（Ｓ１００９）。ここで要求する詳細情報とは、ＩＰマルチキャストに使用するＩＰアドレス、ＴＣＰやＵＤＰのポート番号等である。なお、ここでは受信するマルチキャストコンテンツを選択した後にマルチキャストコンテンツ詳細情報を取得するとしたが、Ｓ１００７にて受信可能マルチキャストコンテンツリスト（番組表）を取得する時点で全てのマルチキャストコンテンツの詳細情報を取得する方法も考えられる。
【００６６】
移動通信端末１００の制御部１０７は、これらの情報を取得したら、取得した情報に基づいて、所望のマルチキャストコンテンツが送信されているチャネルへの遷移処理を行う（Ｓ１０１０）。遷移先のチャネルは、ステップＳ１００１にてマルチキャストサービス報知情報を受信した時に各マルチキャストコンテンツの送信チャネルが分かるので、それを利用すれば良い。また、Ｓ１００９にてモバイル番組情報サーバ６００から取得した情報を利用しても良い。ここでいうチャネル遷移は、必要であれば通信システムの切り替えや周波数帯の遷移も含む。
【００６７】
制御部１０７は、所望のチャネルへの遷移処理が完了したら、マルチキャストコンテンツの受信を開始し、コンテンツに応じた画面表示及び音声出力を行う（Ｓ１０１１）。マルチキャストコンテンツ受信開始前に、新たにマルチキャストサービス報知情報を受信しても良い。
【００６８】
次に、モバイル番組情報サーバ６００が、移動通信端末１００にマルチキャストコンテンツのリスト（番組表）を提供する動作を、図１１のシーケンスを参照して説明する。まず、あらかじめ記憶部６０２に、コンテンツサーバ４００が送信するマルチキャストコンテンツに関する詳細情報（図９参照）を記憶しておく（Ｓ１１０１）。その状態で、移動通信端末１００からの接続要求を待機する（Ｓ１１０２）。移動通信端末１００から接続要求があり、接続処理が完了すると、移動通信端末１００が受信可能マルチキャストコンテンツ（番組）識別子を通知してくるのを待つ（Ｓ１１０３）。受信可能マルチキャストコンテンツ（番組）識別子を受信したら、あらかじめ記憶してあるマルチキャストコンテンツに関する詳細情報から、その移動通信端末１００が受信可能なマルチキャストコンテンツのリスト（番組表）を生成する（Ｓ１１０４）。Ｓ１１０４にて、移動通信端末１００が受信可能なマルチキャストコンテンツのリスト（番組表）を生成したら、移動通信端末１００に送信する（Ｓ１１０５）。
【００６９】
例えば、移動通信端末１００が、受信可能マルチキャストコンテンツ（番組）識別子として、１００、１１０、１２０、１３０、１５０、１６０、１７０をモバイル番組情報サーバ６００に通知した場合、モバイル番組情報サーバ６００が送信したマルチキャストコンテンツのリスト（番組表）は、移動通信端末１００の画面において図８のＤ８０１ように表示される。
【００７０】
以上により、移動通信端末１００を使用してマルチキャストサービスを利用する際に、ユーザは現在地を意識することなく、現在地で受信可能なマルチキャストコンテンツのみが含まれたリスト（番組表）を取得することができる。すなわち、現在地で受信できないマルチキャストコンテンツが含まれたリスト（番組表）を取得することを防ぐことができる。
【００７１】
なお、ステップＳ１００４で、どのセクタの電波を受信可能かを判断する際に、Ｓ１００１にて取得した各マルチキャストコンテンツの送信条件を考慮して判定を行う方法も考えられる。具体的には、単純にパイロット信号の捕捉成功と失敗で、受信可否の判定を行うのではなく、変調方式や誤り訂正符号が伝送エラーに弱い方式を使用している場合は、パイロット信号の捕捉に成功しても、その受信強度が所定の値を超えないと受信可能と判断しないという方法が考えられる。
【００７２】
これにより、現在地で受信できないマルチキャストコンテンツが含まれたリスト（番組表）を取得することを防ぐことができる。すなわち、取得したマルチキャストコンテンツリストから選択したマルチキャストコンテンツが受信できないことをより確実に防ぐことができる。
【００７３】
以上説明したように、上記実施形態によれば、ユーザが特段の操作をしなくても、その位置で受信可能な番組（コンテンツ）情報を取得し、現在地で受信できない番組（コンテンツ）情報は極力取得しないようにできる。従って、マルチキャストサービス利用時の使い勝手を向上させた移動通信端末及びそれに関連するコンテンツ情報サーバ及びコンテンツリスト提供方法を提供することが可能となる。
【００７４】
なお、本発明は、上記実施の形態に限定されず、種々の変形及び応用が可能である。例えば、によれば、現在地で受信可能な番組（コンテンツ）情報を取得し、現在地で受信できない番組（コンテンツ）情報は極力取得しないようにできる。従って、マルチキャストサービス利用時の使い勝手を向上させた移動通信端末及びそれに関連するコンテンツ情報サーバ及びコンテンツリスト提供方法を提供することが可能となる。
【００７５】
なお、この発明は、上記実施の形態に限定されず、種々の変形及び応用が可能である。
例えば、マルチキャストコンテンツ関連情報の内容やフォーマットは適宜変形可能である。
また、各装置の構成や動作手順も、同様の機能を実現できるならば、任意に変更可能である。
【図面の簡単な説明】
【００７６】
【図１】本発明の第一の実施形態におけるシステム構成図。
【図２】本発明の第一の実施形態における移動通信端末の構成図。
【図３】本発明の第一の実施形態におけるモバイル番組情報サーバの構成図。
【図４】本発明の第一の実施形態におけるマルチキャストコンテンツ詳細情報（送信可能番組リスト）のデータ構造例を示す図。
【図５】本発明の第一の実施形態におけるマルチキャストコンテンツ受信シーケンス図。
【図６】本発明の第一の実施形態における画面遷移図。
【図７】本発明の第一の実施形態におけるモバイル番組情報サーバの処理シーケンス図。
【図８】本発明の第一及び第二の実施形態における画面表示例。
【図９】本発明の第二の実施形態におけるマルチキャストコンテンツ詳細情報（送信可能番組リスト）のデータ構造例を示す図。
【図１０】本発明の第二の実施形態におけるマルチキャストコンテンツ受信シーケンス図。
【図１１】本発明の第二の実施形態におけるモバイル番組情報サーバの処理シーケンス図。
【符号の説明】
【００７７】
１００…移動通信端末、２００…無線基地局、３００…通信網、４００…コンテンツサーバ、５００…マルチキャスト制御装置、６００…モバイル番組情報サーバ、１０１…第一通信部、１０２…第二通信部、１０３…記憶部、１０４…表示部、１０５…キー入力部、１０６…音声入出力部、１０７…制御部、６０１…通信部、６０２…記憶部、６０３…表示部、６０４…入力部、６０５…制御部
【図１】
0004624294.tif 000002
【図２】
0004624294.tif 000003
【図３】
0004624294.tif 000004
【図４】
0004624294.tif 000005
【図５】
0004624294.tif 000006
【図６】
0004624294.tif 000007
【図７】
0004624294.tif 000008
【図８】
0004624294.tif 000009
【図９】
0004624294.tif 000010
【図１０】
0004624294.tif 000011
【図１１】
0004624294.tif 000012